(57)【要約】【課題】押圧操作時のストロークを大きく設定することができ、オーバーストロークを確保でき、さらにスイッチのオン、オフに際し不要な音の発生を抑えることができる。【解決手段】互いに一体に接続され、共通固定接点１３に常時導通する共通用可動接点１０、第１個別固定接点１１に選択的に導通する第１可動接点８、及び第２個別固定接点１２に選択的に導通する第２可動接点９を保持し、ハウジング１内の収納部２内を摺動可能な駆動部材７と、この駆動部材７を摺動させる押圧操作が可能なカム部１５ａを有する操作部材１５と、一端が共通固定接点１３に導通し、他端が共通用可動接点１０に導通し、駆動部材７を弾性付勢可能な付勢部材１４とを備えた構成にしてある。【選択図】図１
2008047492.tif 000002
【特許請求の範囲】
【請求項１】
収納部を有するハウジングと、
このハウジングの上記収納部内に形成され、互いに絶縁された共通固定接点、第１個別固定接点、及び第２個別固定接点と、
互いに接続され、上記共通固定接点に常時導通する共通用可動接点、上記第１個別固定接点に選択的に導通する第１可動接点、及び上記第２個別固定接点に選択的に導通する第２可動接点と、
上記共通用可動接点、上記第１可動接点、及び上記第２可動接点を保持し、上記ハウジングの上記収納部内を摺動可能な駆動部材と、
この駆動部材を摺動させる押圧操作が可能な操作部材と、
上記ハウジングの上記収納部内に配置され、一端が上記共通固定接点に導通し、他端が上記共通用可動接点に導通し、上記駆動部材を弾性付勢可能な付勢部材とを備え、
上記操作部材の押圧操作により、上記駆動部材に保持された上記第１可動接点が上記第１個別固定接点に導通し、さらなる上記操作部材の押圧操作により上記第２可動接点が上記第２個別固定接点に導通するように、上記第１個別固定接点、上記第１可動接点、上記第２個別固定接点、及び上記第２可動接点を配置したことを特徴とする２段プッシュスイッチ。
【請求項２】
上記請求項１記載の発明において、
上記ハウジングの上記収納部を覆うカバー部材を備えるとともに、上記カバー部材を上記ハウジングに係止する係止手段を備えたことを特徴とする２段プッシュスイッチ。
【請求項３】
上記請求項１記載の発明において、
上記操作部材または上記駆動部材に、上記駆動部材を摺動操作させる傾斜面を形成するカム部を備え、このカム部にクリック感を付与可能な段部を備えたことを特徴とする２段プッシュスイッチ。
【請求項４】
上記請求項１〜３のいずれか１項記載の発明において、
上記第１個別固定接点及び上記第２個別固定接点を、上記共通固定接点を挟むように配置したことを特徴とする２段プッシュスイッチ。
【発明の詳細な説明】
【技術分野】
【０００１】
本発明は、デジタルカメラ等の小型カメラなどに好適な２段プッシュスイッチに関する。
【背景技術】
【０００２】
この種の従来技術として、特許文献１に示されるものがある。この従来技術は、スイッチケース内に中央固定接点と、周辺固定接点とが配置され、これらの中央固定接点、周辺固定接点に対向するようにリング部材を有する弾性金属薄板製の第１可動接点を備え、この第１可動接点の上に一体に金属ドーム状の第２可動接点を備えるとともに、第２可動接点を押圧する駆動体を備えた構成になっている。
【０００３】
この従来技術にあっては、駆動体を押圧すると、その押圧力が第２可動接点を介して第１可動接点に伝えられ、この第１可動接点が撓んで周辺固定接点に導通し、１段目スイッチがオンとなる。さらに駆動体を押圧すると、ドーム状の第２可動接点が反転して第１可動接点のリング部材の中央に形成される穴を介してこの第２可動接点が中央固定接点に導通し、２段目スイッチがオンとなる。このように、駆動体に押圧力が与えられることにより１段目、２段目のスイッチが順次オンとなるように構成されている。
【特許文献１】特開２００３−３３８２３１公報
【発明の開示】
【発明が解決しようとする課題】
【０００４】
上述した従来技術では、駆動体のストロークは、第１可動接点の撓み量と第２可動接点の反転量とによって一義的に決められてしまう。したがって、例えば小型カメラのシャッター部分に備えられる場合、シャッターの押圧操作時のストロークを大きく確保したいときでも、そのストロークを大きく確保することが難しく、これに伴って小型カメラのシャッターの操作性が劣化する問題がある。
【０００５】
また、駆動体のストロークは第２可動接点の反転時にフルストロークとなり、すなわちオーバーストロークを確保できず、このとき駆動体が衝撃的に停止する。このために、例えば小型カメラのシャッター部分に備えられた場合、フルストロークまでの押圧操作に際して手ぶれを生じ、良質な画像が得られなくなる虞がある。
【０００６】
さらに、第２可動接点が反転するときにクリック音を生じ、このために例えば小型カメラに備えられた場合、フルストロークまでの押圧操作時に、この小型カメラで写された画像に上述のクリック音が混入してしまい良質な画像が得られなくなる問題がある。
【０００７】
本発明は、前述した従来技術における実状からなされたもので、その目的は、押圧操作時のストロークを大きく設定することができ、オーバーストロークを確保でき、さらにスイッチのオン、オフに際し不要な音の発生を抑えることができる２段プッシュスイッチを提供することにある。
【課題を解決するための手段】
【０００８】
この目的を達成するために、本発明は、収納部を有するハウジングと、このハウジングの上記収納部内に形成され、互いに絶縁された共通固定接点、第１個別固定接点、及び第２個別固定接点と、互いに接続され、上記共通固定接点に常時導通する共通用可動接点、上記第１個別固定接点に選択的に導通する第１可動接点、及び上記第２個別固定接点に選択的に導通する第２可動接点と、上記共通用可動接点、上記第１可動接点、及び上記第２可動接点を保持し、上記ハウジングの上記収納部内を摺動可能な駆動部材と、この駆動部材を摺動させる押圧操作が可能な操作部材と、上記ハウジングの上記収納部内に配置され、一端が上記共通固定接点に導通し、他端が上記共通用可動接点に導通し、上記駆動部材を弾性付勢可能な付勢部材とを備え、上記操作部材の押圧操作により、上記駆動部材に保持された上記第１可動接点が上記第１個別固定接点に導通し、さらなる上記操作部材の押圧操作により上記第２可動接点が上記第２個別固定接点に導通するように、上記第１個別固定接点、上記第１可動接点、上記第２個別固定接点、及び上記第２可動接点を配置したことを特徴としている。
【０００９】
このように構成した本発明は、操作部材を押圧操作すると、駆動部材が付勢部材の付勢力に抗してハウジングの収納部内を摺動する。すなわち、駆動部材に保持された共通用可動接点、第１可動接点、及び第２可動接点のそれぞれが摺動する。この間、共通用可動接点は常時、共通固定接点に導通した状態に保たれる。上述した駆動部材の摺動に際し、はじめに第１可動接点が第１個別固定接点に導通する。これにより、第１可動接点及び共通用可動接点を介して第１個別固定接点と共通固定接点とが導通し、１段目スイッチがオンとなる。さらに駆動部材が摺動すると、第２可動接点が第２個別固定接点に導通する。これにより、第２可動接点及び共通用可動接点を介して第２個別固定接点と共通固定接点とが導通し、２段目スイッチがオンとなる。このように、操作部材の押圧操作によって駆動部材がハウジングの収納部内を摺動し、１段目、２段目スイッチをオンとすることができる。
【００１０】
上述のように本発明は、駆動部材に保持される第１可動接点とハウジングに形成される第１個別固定接点との配置関係、及び駆動部材に保持される第２可動接点とハウジングに形成される第２個別固定接点との配置関係とを適宜に設定することにより、操作部材の押圧操作時のストロークを大きくすることができる。また、オーバーストロークを容易に確保できる。さらに、駆動部材に保持された共通用可動接点、第１可動接点、及び第２可動接点の摺動を介して１段目、２段目のスイッチをオン、オフするので、スイッチのオン、オフに際して不要な音の発生を抑えることができる。
【００１１】
また、本発明は上記発明において、上記ハウジングの上記収納部を覆うカバー部材を備えるとともに、上記カバー部材を上記ハウジングに係止する係止手段を備えたことを特徴としている。このように構成した本発明は、カバー部材によって、接点部分の保護を実現できる。
【００１２】
また、本発明は上記発明において、上記操作部材または上記駆動部材に、上記駆動部材を摺動操作させる傾斜面を形成するカム部を備え、このカム部にクリック感を付与可能な段部を備えたことを特徴としている。このように構成した本発明は、カム部の傾斜面の角度や段部の形状を適宜に設定することにより、所望のクリック感を容易に確保することができる。
【００１３】
また、本発明は上記発明において、上記第１個別固定接点及び上記第２個別固定接点を、上記共通固定接点を挟むように配置したことを特徴としている。このように構成した本発明は、安定した構造を確保できる。
【発明の効果】
【００１４】
本発明は、操作部材の押圧操作に伴って摺動する共通用可動接点、第１可動接点、及び第２可動接点を備え、ハウジングの収納部内に、共通用可動接点が常時導通する共通用固定接点、第１可動接点が選択的に導通する第１個別固定接点、及び第２可動接点が選択的に導通する第２個別固定接点を形成し、操作部材の押圧操作時にはじめに第１可動接点が第１個別固定接点に導通し、次に第２可動接点が第２個別固定接点に導通する構成にしてあることから、第１可動接点と第１個別固定接点との配置関係、第２可動接点と第２個別固定接点との配置関係を適宜に考慮することにより押圧操作時のストロークを大きく設定できるとともに、オーバーストロークを容易に確保できる。
【００１５】
上述のようにストロークを大きく確保できるので、小型カメラのシャッター部分に備えた場合に、従来に比べて操作性を向上させることができる。また、オーバーストロークを確保できるので、小型カメラのシャッター部分に備えた場合に、従来のようにフルストローク時に衝撃を生じることがなく、手ぶれを抑え、従来に比べて良好な画像を得ることができる。さらに、金属ドーム状の可動接点を備えることなく、共通用可動接点、第１可動接点、及び第２可動接点の摺動によってスイッチのオン、オフを実施できるので、このスイッチのオン、オフに際して不要な音の発生を抑えることができ、小型カメラに備えた場合、画像に不要な音が混入されてしまうことがなく、従来に比べて良質な画像を得ることができる。
【発明を実施するための最良の形態】
【００１６】
以下，本発明に係る２段プッシュスイッチを実施するための最良の形態を図に基づいて説明する。
【００１７】
［本実施形態の構成］
図１は本発明の２段プッシュスイッチの一実施形態を示す分解斜視図、図２は本実施形態を示す図で、（ａ）図は平面図、（ｂ）図は側面図、（ｃ）図は正面図、（ｄ）図は（ａ）図のＡ−Ａ断面図、図３は図２の（ｄ）図の要部拡大図である。図４は本実施形態の初期状態を示す要部平面図、図５は図４のＣ−Ｃ断面図、図６は図４のＢ−Ｂ断面図である。
【００１８】
本実施形態に係る２段プッシュスイッチは、図１〜３等に示すように、ハウジング１を備え、このハウジング１に収納部２を有する。この収納部２内に仕切り壁３，４と、ガイド部５を形成してある。また、ハウジング１の側面に突起６を設けてある。
【００１９】
ハウジング１の収納部２の底部には、図２の（ｄ）図に示すように共通固定接点１３を形成してあるとともに、図５，６に示すように、第１個別固定接点１１、第２個別固定接点１２を形成してある。第１個別固定接点１１及び第２個別固定接点１２は、例えば共通固定接点１３を挟むように配置してある。すなわち、共通固定接点１３は、図１に示す仕切り壁３と仕切り壁４との間に位置するように配置してある。第１個別固定接点１１は、仕切り壁３とハウジング１の一方の壁面との間に位置するように配置してある。第２個別固定接点１２は、仕切り壁４とハウジング１の他方の壁面との間に位置するように配置してある。
【００２０】
また、上述の共通固定接点１３に常時導通する共通用可動接点１０と、第１個別固定接点１１に選択的に導通する図５に示す第１可動接点８と、第２個別固定接点１２に選択的に導通する図６に示す第２可動接点９とを備えている。これらの共通用可動接点１０、第１可動接点８、及び第２可動接点９は、互いに一体に接続されている。例えば一枚の金属薄板から同時に加工されている。第１可動接点８は、上述した仕切り壁３とハウジング１の一方の壁面との間において、摺動可能となっている。第２可動接点９は、上述した仕切り壁４とハウジング１の他方の壁面との間において、摺動可能となっている。
【００２１】
また、図１に示すように、上述した共通用可動接点１０、第１可動接点８、及び第２可動接点９が埋設保持され、ハウジング１内の収納部２内を摺動可能な駆動部材７を備えている。この駆動部材７は、曲面状に形成された駆動部７ａを備えている。
【００２２】
また、図１に示すように、ハウジング１のガイド部５に案内されて駆動部材７を摺動させる押圧操作が可能な操作部材１５を備え、この操作部材１５は、駆動部材７の駆動部７ａに係合する傾斜面を形成するカム部１５ａを有している。このカム部１５ａは、図３に示すように段部１５ａ１を備えている。
【００２３】
また、図１、図２の（ｄ）図、図４等に示すように、ハウジング１の収納部２内に配置され、一端が共通固定接点１３に導通し、他端が共通用可動接点１０に導通し、駆動部材７を弾性付勢可能なコイルばねから成る付勢部材１４を備えている。この付勢部材１４は上述した仕切り壁３と仕切り壁４との間に配置させてある。
【００２４】
また、図１に示すように、ハウジング１の収納部２を覆うカバー部材１６を備えている。このカバー部材１６には、操作部材１５が挿通される貫通部１６ａと、ハウジング１の突起６が係合する穴部１６ｂとを形成してある。このカバー部材１６の穴部１６ｂと、ハウジング１の突起６とによって、カバー部材１６をハウジング１に係止する係止手段が構成されている。
【００２５】
上述したハウジング１に形成される第１個別固定接点１１と駆動部材７に保持される第１可動接点８との配置関係、及びハウジング１に形成される第２個別固定接点１２と駆動部材７に保持される第２可動接点９との配置関係は、次のように設定してある。すなわち、操作部材１５の押圧操作により駆動部材７に保持された第１可動接点８が第１個別固定接点１１に導通し、さらなる操作部材１５の押圧操作により第２可動接点９が第２個別固定接点１２に導通するように設定してある。
【００２６】
［本実施形態の動作］
図７は本実施形態の動作を示す図で、１段目スイッチの動作時の状態を示す要部平面図、図８は図７のＤ−Ｄ断面図、図９は図７のＥ−Ｅ断面図、図１０は図７のＨ−Ｈ断面図である。図１１も本実施形態の動作を示す図で、２段目スイッチの動作時の状態を示す図、図１２は図１１のＦ−Ｆ断面図、図１３は図１１のＧ−Ｇ断面図、図１４は図１１のＩ−Ｉ断面図である。
【００２７】
初期状態にあっては、上述した図２の（ｄ）図に示すように、付勢部材１４を介して共通用可動接点１０と共通固定接点１３とが導通した状態において、操作部材１５のカム部１５ａが駆動部材７の駆動部７ａに係合した状態に保持される。また、図５に示すように、駆動部材７に保持される第１可動接点８が第１個別固定接点１１から離れた状態に保たれ、図６に示すように、駆動部材７に保持される第２可動接点９が第２個別固定接点１２から離れた状態に保たれる。したがって、１段目スイッチ、２段目スイッチはオフとなっている。
【００２８】
このような状態から、操作部材１５を押圧操作すると、操作部材１５のカム部１５ａによって駆動部材７の駆動部７ａが押されて、駆動部材７が付勢部材１４の付勢力に抗してハウジング１の収納部２内を摺動し、図７−１０に示すように、操作部材１５のカム部１５ａの段部１５ａ１が駆動部材７の駆動部７ａに係合する状態となる。この状態に至ると、図８に示すように、第１可動接点８が第１個別固定接点１１と導通する。すなわち、第１可動接点８及び共通用可動接点１０を介して、第１個別固定接点１１と共通固定接点１３とが導通し、１段目スイッチがオンとなる。
【００２９】
上述の状態から、さらに操作部材１５を押圧操作すると、操作部材１５のカム部１５ａによって駆動部材７の駆動部７ａが引き続き押され、駆動部材７が付勢部材１４の付勢力に抗してハウジング１の収納部２内を摺動し、図１１−１４に示すように、駆動部材７の駆動部７ａが操作部材１５のカム部１５ａの段部１５ａ１を通過する状態となる。この状態に至ると、図１２に示すように、第１可動接点８が第１個別固定接点１１と導通した状態が維持されるとともに、図１３に示すように、第２可動接点９が第２個別固定接点１２と導通する。すなわち、第１個別固定接点１１及び第２個別固定接点１２が、第１可動接点８、第２可動接点９、及び共通用可動接点１０を介して、共通固定接点１３に導通し、２段目スイッチがオンとなる。
【００３０】
操作部材１５に与えていた操作力を弱めると、付勢部材１４の付勢力によって駆動部材７が元の位置に向かって摺動し、１段目、２段目スイッチがオフとなり、駆動部材７の摺動に伴って操作部材１４が上方に押され、上述した図４−６、及び図２の（ｄ）図に示す初期状態に復帰する。
【００３１】
図１５は本実施形態に備えられる操作部材のストロークとスイッチ信号の関係を示す図で、（ａ）図は１段目スイッチのスイッチ信号を示す図、（ｂ）図は２段目スイッチのスイッチ信号を示す図、図１６は本実施形態に備えられる操作部材のストロークと操作力の関係を示す特性図である。
【００３２】
上述したように、操作部材１５の押圧操作によって、駆動部材７がハウジング１の収納部２内を摺動し、図１５の（ａ）図に示すように、操作部材１５がストロークＳ１となったときに１段目スイッチをオンとすることができ、図１５の（ｂ）図に示すように、操作部材１５がさらに押されてストロークＳ２となったときに２段目スイッチをオンとすることができる。
【００３３】
また、図１６の実線で示すように、押圧操作時Ｔ１の１段目スイッチがオンとなるストロークＳ１のときには、駆動部材７の駆動部７ａが操作部材１５のカム部１５ａの段部１５ａ１に係合することによって、変化の小さい曲線で表されるようにほとんどクリック感を生じさせない状態とすることができ、２段目スイッチがオンとなるストロークＳ２のときには、駆動部材７の駆動部７ａが操作部材１５のカム部１５ａの段部１５ａ１を通過することによって、変化の大きい曲線で表されるように大きなクリック感を生じさせる状態とすることができる。
【００３４】
図１６中、Ｔ２は押圧操作解除時の特性、破線で示す特性は上述した従来技術で得られる特性である。この図１６中のオーバーストロークＳ３で示すように、本実施形態では、十分に大きなオーバーストロークＳ３を確保することができる。
【００３５】
［本実施形態の効果］
本実施形態によれば、駆動部材７に保持される第１可動接点８とハウジング１に形成される第１個別固定接点１１との配置関係、及び駆動部材７に保持される第２可動接点９とハウジング１に形成される第２個別固定接点１２との配置関係を適宜に設定することにより、図１６に示すように操作部材１５の押圧操作時のストロークを大きく設定できるとともに、オーバーストロークを容易に確保できる。
【００３６】
このようにストロークを大きく確保できるので、デジタルカメラ等の小型カメラのシャッター部分に備えた場合に、優れた操作性を得ることができる。また、オーバーストロークを確保できるので、デジタルカメラ等の小型カメラのシャッター部分に備えた場合に、フルストローク時に衝撃を生じることなく手ぶれを抑え、良好な画像を得ることができる。さらに、金属ドーム状の可動接点を備えることなくスイッチのオン、オフを実施できるので、このスイッチのオン、オフに際して不要な音の発生を抑えることができ、したがって小型カメラに備えた場合に、画像に不要な音が混入されることがなく、良好な画像を得ることができる。
【００３７】
また、ハウジング１の収納部２を覆うカバー部材１６によって、外部の塵埃等からの接点部分の保護を実現でき、高い信頼性を確保できる。
【００３８】
また、操作部材１５のカム部１５ａの傾斜面の角度や段部１５ａ１の形状を適宜に設定することにより、ほとんどクリック感を感じさせない状態に形成したり、大きなクリック感を形成することができる。すなわち、所望のクリック感を容易に確保でき、これによって優れた操作性が得られる。
【００３９】
また、ハウジング１の収納部２内に、共通固定接点１３を挟むように第１個別固定接点１１と第２個別固定接点１２を配置したことから、安定した構造を実現でき、この点でも高い信頼性を確保できる。
【００４０】
なお、上記実施形態では、操作部材１５に傾斜面を形成し段部１５ａ１を有するカム部１５ａを備え、駆動部材７にカム部１５ａと係合する曲面状の駆動部７ａを備えた構成にしてあるが、これとは逆に、駆動部材７に傾斜面を形成し段部を有するカム部を備え、操作部材１５に駆動部材７のカム部に係合する曲面状の駆動部を備えた構成にしてもよい。
【図面の簡単な説明】
【００４１】
【図１】本発明の２段プッシュスイッチの一実施形態を示す分解斜視図である。
【図２】本実施形態を示す図で、（ａ）図は平面図、（ｂ）図は側面図、（ｃ）図は正面図、（ｄ）図は（ａ）図のＡ−Ａ断面図である。
【図３】図２の（ｄ）図の要部拡大図である。
【図４】本実施形態の初期状態を示す要部平面図である。
【図５】図４のＣ−Ｃ断面図である。
【図６】図４のＢ−Ｂ断面図である。
【図７】本実施形態の動作を示す図で、１段目スイッチの動作時の状態を示す要部平面図である。
【図８】図７のＤ−Ｄ断面図である。
【図９】図７のＥ−Ｅ断面図である。
【図１０】図７のＨ−Ｈ断面図である。
【図１１】本実施形態の動作を示す図で、２段目スイッチの動作時の状態を示す図である。
【図１２】図１１のＦ−Ｆ断面図である。
【図１３】図１１のＧ−Ｇ断面図である。
【図１４】図１１のＩ−Ｉ断面図である。
【図１５】本実施形態に備えられる操作部材のストロークとスイッチ信号の関係を示す図で、（ａ）図は１段目スイッチのスイッチ信号を示す図、（ｂ）図は２段目スイッチのスイッチ信号を示す図である。
【図１６】本実施形態に備えられる操作部材の操作力とストロークの関係を示す特性図である。
【符号の説明】
【００４２】
１    ハウジング
２    収納部
３    仕切り壁
４    仕切り壁
５    ガイド部
６    突起（係止手段）
７    駆動部材
８    第１可動接点
９    第２可動接点
１０    共通用可動接点
１１    第１個別固定接点
１２    第２個別固定接点
１３    共通固定接点
１４    付勢部材
１５    操作部材
１５ａ  カム部
１５ａ１  段部
１６    カバー部材
１６ｂ  穴部（係止手段）
【図１】
2008047492.tif 000003
【図２】
2008047492.tif 000004
【図３】
2008047492.tif 000005
【図４】
2008047492.tif 000006
【図５】
2008047492.tif 000007
【図６】
2008047492.tif 000008
【図７】
2008047492.tif 000009
【図８】
2008047492.tif 000010
【図９】
2008047492.tif 000011
【図１０】
2008047492.tif 000012
【図１１】
2008047492.tif 000013
【図１２】
2008047492.tif 000014
【図１３】
2008047492.tif 000015
【図１４】
2008047492.tif 000016
【図１５】
2008047492.tif 000017
【図１６】
2008047492.tif 000018